(57)【要約】  関連するＥＳＧフラグメントを有する番組又はサービス送信信号を指定されたロケーション内の受信機に提供する装置及び方法が提供される。パラメータ、要素又は部分要素は、ロケーションを示すサービスガイド又は他のデータ・フラグメント内に含めることができ、上記ロケーション内で、番組、サービス及び対応するＥＳＧフラグメントを放送することができる。また、パラメータ、要素又は部分要素は、第１のネットワークタイプに関連付けることができ、更に、第２のネットワークタイプの対応するパラメータ、要素又は部分要素にマッピングすることができる。１つの実施例において、ＯＭＡ  ＢＣＡＳＴネットワークに対応するロケーション・パラメータ、要素又は部分要素は、ＣＤＭＡネットワークに対応するロケーション・パラメータ、要素又は部分要素とマッピングすることができる。ロケーション情報は、ＥＳＧフラグメント又は他のデータ・フラグメントにおいて送信することができる。ロケーション情報及び対応するマッピングされたロケーション情報に基づいて所望のロケーションにデータを送信ネットワーク管理モジュールを備えることもできる。【選択図】図６
2009507445.tif 000002
【特許請求の範囲】
【請求項１】
指定されたロケーションに送信されることになるデータを受信するように構成された入力部と、
前記指定されたロケーションに対応する第１のネットワーク用のパラメータを受信するように構成されたたロケーション入力部と、
前記指定されたロケーションに対応する前記パラメータを第２のネットワーク用の対応するパラメータと一致させるように構成されたマッピングモジュールと、
を備えることを特徴とする装置。
【請求項２】
前記第２のネットワーク用の前記対応するパラメータに基づいて、前記指定されたロケーションに送信されることになるデータを割り当てるように構成されたプロセッサを更に備える、
ことを特徴とする請求項１に記載の装置。
【請求項３】
前記データを前記指定されたロケーションに送信するように構成された出力部を更に備える、
ことを特徴とする請求項２に記載の装置。
【請求項４】
前記パラメータがＥＳＧフラグメントにおいて受信される、
ことを特徴とする請求項１に記載の装置。
【請求項５】
前記パラメータがコンテンツ・フラグメントにおいて受信される、
ことを特徴とする請求項１に記載の装置。
【請求項６】
前記第１のネットワークがＯＭＡ  ＢＣＡＳＴに準拠している、
ことを特徴とする請求項１に記載の装置。
【請求項７】
前記第２のネットワークがＣＤＭＡ２０００に準拠している、
ことを特徴とする請求項６に記載の装置。
【請求項８】
ロケーション情報を含むデータ・フラグメントを受信するように構成された入力部であって、該ロケーション情報が、第１のネットワーク用のロケーション・パラメータと第２のネットワーク用の対応するロケーション・パラメータとを含み、該ロケーション・パラメータが前記データ・フラグメントの宛先ロケーションに対応する、前記入力部と、
前記データ・フラグメントから前記ロケーション情報を抽出するように構成されたロケーション識別子モジュールと、
前記第２のネットワーク用の前記対応するロケーション・パラメータに基づいて、前記データ・フラグメントを前記宛先ロケーションに送信するように構成された出力部と、
を備えることを特徴とする装置。
【請求項９】
前記データ・フラグメントがＥＳＧフラグメントである、
ことを特徴とする請求項８に記載の装置。
【請求項１０】
前記第１のネットワーク用の前記ロケーション・パラメータが、前記第２のネットワーク用の前記対応するロケーション・パラメータにマッピングされる、
ことを特徴とする請求項８に記載の装置。
【請求項１１】
前記第１のネットワークがＯＭＡ  ＢＣＡＳＴに準拠している、
ことを特徴とする請求項１０に記載の装置。
【請求項１２】
前記第２のネットワークがＣＤＭＡ２０００に準拠している、
ことを特徴とする請求項１１に記載の装置。
【請求項１３】
第１のネットワークタイプのロケーション・パラメータを含み、且つ放送データが送信されることになるロケーションに対応するロケーション情報を受信するステップと、
前記放送データが送信されることになるロケーションに対応するネットワークタイプを特定するステップと、
前記第１のネットワークタイプのロケーション・パラメータを、前記放送データが送信されることになるロケーションに対応する前記ネットワークタイプの対応するロケーション・パラメータにマッピングするステップと、
前記放送データが送信されることになる前記ロケーションに前記放送データを送信するステップと、
を含む方法。
【請求項１４】
前記第１のネットワークタイプがＯＭＡ  ＢＣＡＳＴに準拠している、
ことを特徴とする請求項１３に記載の方法。
【請求項１５】
前記放送データが送信されることになるロケーションに対応する前記ネットワークタイプが、ＣＤＭＡである、
ことを特徴とする請求項１４に記載の方法。
【請求項１６】
前記ロケーション情報を受信するステップが、前記ロケーション情報を含むＥＳＧフラグメントを受信するステップを含む、
ことを特徴とする請求項１３に記載の方法。
【請求項１７】
前記第１のネットワークタイプのロケーション・パラメータが、ｂｒｏａｄｃａｓｔ＿ａｒｅａ、ｔａｒｇｅｔ＿ａｒｅａ、ｓｈａｐｅ、ｃｃ、ｎａｍｅ＿ａｒｅａ、ｚｉｐ＿ｃｏｄｅ、及びｈｏｒ＿ａｃｃから成るグループから選択される、
ことを特徴とする請求項１３に記載の方法。
【請求項１８】
前記放送データが送信されることになるロケーションに対応する前記ネットワークタイプの対応するロケーション・パラメータが、ｂｒｏａｄｃａｓｔ＿ａｒｅａ、ｔａｒｇｅｔ＿ａｒｅａ、ｓｈａｐｅ、ｃｃ、ｎａｍｅ＿ａｒｅａ、ｚｉｐ＿ｃｏｄｅ、及びｈｏｒ＿ａｃｃから成るグループから選択される、
ことを特徴とする請求項１７に記載の方法。
【請求項１９】
前記放送データが送信されることになるロケーションに対応する前記ネットワークタイプが、パケット交換型ＣＤＭＡネットワークである、
ことを特徴とする請求項１８に記載の方法。
【請求項２０】
前記放送データが送信されることになるロケーションに対応する前記ネットワークタイプが、回線交換型ＣＤＭＡネットワークである、
ことを特徴とする請求項１３に記載の方法。
【請求項２１】
前記第１のネットワークタイプのロケーション・パラメータが、ｂｒｏａｄｃａｓｔ＿ａｒｅａ、ｔａｒｇｅｔ＿ａｒｅａ、ｓｈａｐｅ＿ＢＣＭＣＳ、ｃｃ＿ＢＣＭＣＳ、ｎａｍｅ＿ａｒｅａ、ｚｉｐ＿ｃｏｄｅ、及びｈｏｒ＿ａｃｃから成るグループから選択される、
ことを特徴とする請求項２０に記載の方法。
【請求項２２】
前記放送データが送信されることになるロケーションに対応する前記ネットワークタイプの対応するロケーション・パラメータが、ｂｒｏａｄｃａｓｔ＿ａｒｅａ−３ｇｐｐ２、ｔａｒｇｅｔ＿ａｒｅａ−３ｇｐｐ２、ｓｈａｐｅ−３ｇｐｐ２、ｃｃ＿ＢＣＭＣＳ−３ｇｐｐ２、ｎａｍｅ＿ａｒｅａ−３ｇｐｐ２、ｚｉｐ＿ｃｏｄｅ−３ｇｐｐ２、及びｈｏｒ＿ａｃｃ−３ｇｐｐ２から成るグループから選択される、
ことを特徴とする請求項２１に記載の方法。
【請求項２３】
指定ロケーションに送信されることになるデータを受信するように構成された送信機の入力部と、
前記指定ロケーションに対応する第１のネットワーク用のパラメータを受信するように構成されたロケーション入力部と、
前記指定ロケーションに対応する前記パラメータを第２のネットワーク用の対応するパラメータと一致させるように構成されたマッピングモジュールと、
ロケーション情報を含むデータ・フラグメントを受信するように構成されたネットワーク管理モジュールの入力部であって、前記ロケーション情報が、前記第１のネットワーク用のロケーション・パラメータと前記第２のネットワーク用の対応するロケーション・パラメータとを含み、該ロケーション・パラメータが前記データ・フラグメントの宛先ロケーションに対応している、前記ネットワーク管理モジュールの入力部と、
前記データ・フラグメントから前記ロケーション情報を抽出するように構成されたロケーション識別子モジュールと、
前記第２のネットワーク用の前記対応するロケーション・パラメータに基づいて、前記データ・フラグメントを前記宛先ロケーションに送信するように構成された出力部と、
を備えることを特徴とするシステム。
【請求項２４】
前記第２のネットワーク用の前記対応するパラメータに基づいて、前記指定ロケーションに送信されることになるデータを割り当てるように構成されたプロセッサを更に備える、
ことを特徴とする請求項２３に記載のシステム。
【請求項２５】
前記指定ロケーションに対応する前記第１のネットワーク用の前記パラメータが、ＥＳＧフラグメントにおいて受信される、
ことを特徴とする請求項２３に記載のシステム。
【請求項２６】
前記指定ロケーションに対応する前記第１のネットワーク用の前記パラメータが、コンテンツ・フラグメントにおいて受信される、
ことを特徴とする請求項２３に記載のシステム。
【請求項２７】
前記第１のネットワークがＯＭＡ  ＢＣＡＳＴに準拠している、
ことを特徴とする請求項２３に記載のシステム。
【請求項２８】
前記第２のネットワークがＣＤＭＡ２０００に準拠している、
ことを特徴とする請求項２７に記載のシステム。
【請求項２９】
前記データ・フラグメントがＥＳＧフラグメントである、
ことを特徴とする請求項２３に記載のシステム。
【請求項３０】
コンピュータ実行可能命令を含むコンピュータ可読媒体であって、前記コンピュータ実行可能命令が、
第１のネットワークタイプのロケーション・パラメータを含み、且つ放送データが送信されることになるロケーションに対応するロケーション情報を受信するステップと、
前記放送データが送信されることになるロケーションに対応するネットワークタイプを特定するステップと、
前記第１のネットワークタイプのロケーション・パラメータを、前記放送データが送信されることになるロケーションに対応する前記ネットワークタイプの対応するロケーション・パラメータにマッピングするステップと、
前記放送データが送信されることになる前記ロケーションに前記放送データを送信するステップと、
を装置に実行させることを特徴とするコンピュータ可読媒体。
【請求項３１】
前記第１のネットワークタイプがＯＭＡ  ＢＣＡＳＴに準拠している、
ことを特徴とする請求項３０に記載のコンピュータ可読媒体。
【請求項３２】
前記放送データが送信されることになるロケーションに対応する前記ネットワークタイプが、ＣＤＭＡである、
ことを特徴とする請求項３１に記載のコンピュータ可読媒体。
【請求項３３】
前記ロケーション情報を受信するステップが、前記ロケーション情報を含むＥＳＧフラグメントを受信するステップを含む、
ことを特徴とする請求項３０に記載のコンピュータ可読媒体。
【請求項３４】
前記第１のネットワークタイプのロケーション・パラメータが、ｂｒｏａｄｃａｓｔ＿ａｒｅａ、ｔａｒｇｅｔ＿ａｒｅａ、ｓｈａｐｅ、ｃｃ、ｎａｍｅ＿ａｒｅａ、ｚｉｐ＿ｃｏｄｅ、及びｈｏｒ＿ａｃｃから成るグループから選択される、
ことを特徴とする請求項３０に記載のコンピュータ可読媒体。
【請求項３５】
前記放送データが送信されることになるロケーションに対応する前記ネットワークタイプの対応するロケーション・パラメータが、ｂｒｏａｄｃａｓｔ＿ａｒｅａ、ｔａｒｇｅｔ＿ａｒｅａ、ｓｈａｐｅ、ｃｃ、ｎａｍｅ＿ａｒｅａ、ｚｉｐ＿ｃｏｄｅ、及びｈｏｒ＿ａｃｃから成るグループから選択される、
ことを特徴とする請求項３０に記載のコンピュータ可読媒体。
【請求項３６】
前記放送データが送信されることになるロケーションに対応する前記ネットワークタイプが、パケット交換型ＣＤＭＡネットワークである、
ことを特徴とする請求項３５に記載のコンピュータ可読媒体。
【請求項３７】
前記放送データが送信されることになるロケーションに対応する前記ネットワークタイプが、回線交換型ＣＤＭＡネットワークである、
ことを特徴とする請求項３０に記載のコンピュータ可読媒体。
【請求項３８】
前記第１のネットワークタイプのロケーション・パラメータが、ｂｒｏａｄｃａｓｔ＿ａｒｅａ、ｔａｒｇｅｔ＿ａｒｅａ、ｓｈａｐｅ＿ＢＣＭＣＳ、ｃｃ＿ＢＣＭＣＳ、ｎａｍｅ＿ａｒｅａ、ｚｉｐ＿ｃｏｄｅ、及びｈｏｒ＿ａｃｃから成るグループから選択される、
ことを特徴とする請求項３７に記載のコンピュータ可読媒体。
【請求項３９】
前記放送データが送信されることになるロケーションに対応する前記ネットワークタイプの対応するロケーション・パラメータが、ｂｒｏａｄｃａｓｔ＿ａｒｅａ−３ｇｐｐ２、ｔａｒｇｅｔ＿ａｒｅａ−３ｇｐｐ２、ｓｈａｐｅ−３ｇｐｐ２、ｃｃ＿ＢＣＭＣＳ−３ｇｐｐ２、ｎａｍｅ＿ａｒｅａ−３ｇｐｐ２、ｚｉｐ＿ｃｏｄｅ−３ｇｐｐ２、及びｈｏｒ＿ａｃｃ−３ｇｐｐ２から成るグループから選択される、
ことを特徴とする請求項３８に記載のコンピュータ可読媒体。
【請求項４０】
第１のネットワークタイプのロケーション・パラメータを含み、且つ放送データが送信されることになるロケーションに対応するロケーション情報を受信する手段と、
前記放送データが送信されることになるロケーションに対応するネットワークタイプを特定する手段と、
前記第１のネットワークタイプのロケーション・パラメータを、前記放送データが送信されることになるロケーションに対応する前記ネットワークタイプの対応するロケーション・パラメータにマッピングする手段と、
前記放送データが送信されることになる前記ロケーションに前記放送データを送信する手段と、
を含む装置。
【請求項４１】
前記第１のネットワークタイプがＯＭＡ  ＢＣＡＳＴに準拠している、
ことを特徴とする請求項４０に記載の装置。
【請求項４２】
前記放送データが送信されることになるロケーションに対応する前記ネットワークタイプが、ＣＤＭＡである
ことを特徴とする請求項４１に記載の装置。
【請求項４３】
前記ロケーション情報を受信する手段が、前記ロケーション情報を含む前記ＥＳＧフラグメントを受信する手段を含む、
ことを特徴とする請求項４０に記載の装置。
【請求項４４】
前記第１のネットワークタイプのロケーション・パラメータが、ｂｒｏａｄｃａｓｔ＿ａｒｅａ、ｔａｒｇｅｔ＿ａｒｅａ、ｓｈａｐｅ、ｃｃ、ｎａｍｅ＿ａｒｅａ、ｚｉｐ＿ｃｏｄｅ、及びｈｏｒ＿ａｃｃから成るグループから選択される、
ことを特徴とする請求項４０に記載の装置。
【請求項４５】
前記放送データが送信されることになるロケーションに対応する前記ネットワークタイプの対応するロケーション・パラメータが、ｂｒｏａｄｃａｓｔ＿ａｒｅａ、ｔａｒｇｅｔ＿ａｒｅａ、ｓｈａｐｅ、ｃｃ、ｎａｍｅ＿ａｒｅａ、ｚｉｐ＿ｃｏｄｅ、及びｈｏｒ＿ａｃｃから成るグループから選択される、
ことを特徴とする請求項４４に記載の装置。
【請求項４６】
前記放送データが送信されることになるロケーションに対応する前記ネットワークタイプが、パケット交換型ＣＤＭＡネットワークである、
ことを特徴とする請求項４４に記載の装置。
【請求項４７】
前記放送データが送信されることになるロケーションに対応する前記ネットワークタイプが、回線交換型ＣＤＭＡネットワークである、
ことを特徴とする請求項４０に記載の装置。
【請求項４８】
前記第１のネットワークタイプのロケーション・パラメータが、ｂｒｏａｄｃａｓｔ＿ａｒｅａ、ｔａｒｇｅｔ＿ａｒｅａ、ｓｈａｐｅ＿ＢＣＭＣＳ、ｃｃ＿ＢＣＭＣＳ、ｎａｍｅ＿ａｒｅａ、ｚｉｐ＿ｃｏｄｅ、及びｈｏｒ＿ａｃｃから成るグループから選択される、
ことを特徴とする請求項４７に記載の装置。
【請求項４９】
前記放送データが送信されることになるロケーションに対応する前記ネットワークタイプの対応するロケーション・パラメータが、ｂｒｏａｄｃａｓｔ＿ａｒｅａ−３ｇｐｐ２、ｔａｒｇｅｔ＿ａｒｅａ−３ｇｐｐ２、ｓｈａｐｅ−３ｇｐｐ２、ｃｃ＿ＢＣＭＣＳ−３ｇｐｐ２、ｎａｍｅ＿ａｒｅａ−３ｇｐｐ２、ｚｉｐ＿ｃｏｄｅ−３ｇｐｐ２、及びｈｏｒ＿ａｃｃ−３ｇｐｐ２から成るグループから選択される、
ことを特徴とする請求項４８に記載の装置。
【発明の詳細な説明】
【技術分野】
【０００１】
（関連出願との相互参照）
本出願は、２００５年９月７日に出願された米国仮出願第６０／７１４，２５９号の利益を主張し、該出願は引用により本明細書に組み込まれる。
本発明の実施形態は一般に、通信ネットワークに関する。より具体的には、本発明の実施形態は、ロケーションベースの放送をロケーションベースのサービスに適合させることに関する。
【背景技術】
【０００２】
デジタル・ブロードバンド放送ネットワークにより、エンドユーザは、ビデオ、オーディオ、データ、その他を含むデジタルコンテンツを受信することが可能となる。ユーザは、移動端末を利用して、無線デジタル放送ネットワーク上のデジタルコンテンツを受信することができる。デジタルコンテンツは、例えば、ＭＰＥＧ−ＴＳ（Ｍｏｖｉｎｇ  Ｐｉｃｔｕｒｅ  Ｅｘｐｅｒｔ  Ｇｒｏｕｐトランスポート・ストリーム）規格により提供されるようなパケット化送信を利用して無線送信することができる。
【０００３】
複数の利用可能な放送サービスが存在する。例えば、３ＧＰＰ（第３世代パートナーシップ・プロジェクト）は、移動体通信用グローバルシステム／広帯域ＣＤＭＡ（ＧＳＭ／ＷＣＤＭＡ）で放送サービスを提供し、３ＧＰＰ２（第３世代パートナーシップ２）は、ＣＤＭＡ２０００で放送サービスを提供する。ＧＳＭ／ＷＣＤＭＡにおける作業項目としては、マルチメディアブロードキャスト及びマルチキャストサービス（ＭＢＭＳ）がある。ＣＤＭＡ２０００における作業項目としては、ブロードキャスト及びマルチキャストサービス（ＢＣＭＣＳ）がある。
【０００４】
３ＧＰＰのＭＢＭＳ及び３ＧＰＰ２のＢＣＭＣＳに加えて、移動放送サービスの下位の作業グループであるオープン・モバイル・アライアンス（ＯＭＡ）ＢＣＡＳＴは、ＭＢＭＳ、ＢＣＭＣＳ、又はＤＶＢ−Ｈ（携帯機器用デジタルビデオ放送規格）などのデジタル・ブロードバンドブロードキャストシステムといった、ベースとなる放送サービスにおけるコンテンツ保護、サービス案内、番組案内、或いは送信スケジューリングなどのＯＭＡ  ＢＣＡＳＴサービスを提供する。
【０００５】
移動通信システムでは、ユーザの位置するロケーションが変化する可能性がある。或る指定されたロケーションにいるユーザにとって有用な情報は、そのロケーションに合わせて調整することができる。例えば、気象情報又は交通情報は、ロケーションに基づいて異なる可能性があり、ユーザは、例えば、ユーザが所在する都市の気象に関する情報を要求することができる。しかしながら、ユーザが第２の都市に移動した場合、ユーザは、第１の都市ではなく第２の都市の気象情報を受信することを望む可能性がある。また、加入者端末のロケーションに関連した情報は、標準化された方法で正確に提供する必要があり、利用する通信によって、すなわち端末がＯＭＡ  ＢＣＡＳＴ、ＭＢＭＳ、ＢＣＭＣＳ又はＤＶＢ−Ｈなどの他の何らかの通信システムを利用しているかどうかによって左右されるべきではない。通信システムは、適切な情報をユーザに正確に配信することができるように、ユーザのロケーションを特定する必要がある。
【発明の開示】
【発明が解決しようとする課題】
【０００６】
従って、様々な通信システムにわたって地域に合わせた情報を提供するため標準化された方法を提供する必要性がある。
【０００７】
次に、本発明の幾つかの態様についての基本的な理解を与えることを目的として簡略的な要約を示す。本要約は、本発明の広範囲にわたる概観ではない。本発明の鍵となる要素、すなわち重要な要素を特定すること並びに、本発明の範囲を境界付けることを意図するものではない。次の要約は、以下の本発明の詳細な説明への導入部として、本発明の幾つかの概念を単純な形で示したものに過ぎない。
【課題を解決するための手段】
【０００８】
１つの実施例において、番組又はサービスデータ及び対応するＥＳＧフラグメントを所定のロケーション内にある加入者端末又は受信機に送信する送信機が提供される。例えば、この送信機は、リモート・サービス・プロバイダから受信したデータに基づいてＥＳＧフラグメントを生成することができ、ＥＳＧフラグメントにおいてロケーション情報を含むことができる。この送信機はまた、第１のネットワークタイプのロケーション情報を第２のネットワークタイプの対応するロケーション情報にマッピングするステップを提供することもできる。
【０００９】
別の実施例において、送信機からデータ送信信号を受信するためのネットワーク管理モジュールが提供される。このデータ送信信号は、ロケーション情報を含むＥＳＧフラグメントを含むことができる。このロケーション情報は、第１のネットワークタイプのロケーション・パラメータ又は要素を含むことができる。第１のネットワークタイプのロケーション・パラメータ又は要素は、第２のネットワークタイプの対応するロケーション・パラメータ又は要素にマッピングすることができる。ネットワーク管理モジュールは更に、対応するロケーション・パラメータにより示されるロケーション内にある受信機又は加入者端末にデータを送信することができ、この指定ロケーションにおける受信機又は加入者端末は、データ送信信号を受信することができる。
【００１０】
別の実施例において、所定のロケーションにデータを送信する方法が提供される。この実施例では、第２のネットワークタイプの対応するロケーション・パラメータにマッピングされた第１のネットワークタイプのロケーション・パラメータを含むロケーション情報が受信され処理される。
【発明を実施するための最良の形態】
【００１１】
添付図面を考慮しながら以下の説明を参照することにより、本発明及びその利点のより完全な理解を得ることができる。同様の参照番号は同様の特徴部を示す。
【００１２】
種々の実施形態についての以下の説明では、本明細書の一部を形成する添付図面を参照し、本発明を実施することができる種々の実施形態が例証として示され る。本発明の範囲及び精神から逸脱することなく、別の実施形態を利用することができ、構造上及び機能上の変更を行うことができる点は理解されたい。
【００１３】
本発明の実施形態は、広範囲のネットワーク及び通信プロトコルにわたって利用することができる。図１は、本発明のシステム及び方法を利用することができる無線通信システム１１０の一例を示す。携帯情報端末（ＰＤＡ）、携帯電話、移動端末、個人用ビデオレコーダ、携帯用テレビ、パーソナルコンピュータ、デジタルカメラ、デジタルカムコーダ、携帯用オーディオ装置、携帯用ラジオ又はこれらの組み合わせなどの１又はそれ以上のネットワーク対応の移動装置１１２は、放送ネットワーク１１４及び／又はセルラネットワーク１１６を通じてサービスソース１２２と通信する。移動端末／装置１１２は、デジタル放送受信装置を備えることができる。サービスソース１２２は、実際の番組コンテンツ又は情報或いはこれらのサービス及び番組についての記述をサービスソースに提供することができる複数のサービス・プロバイダに接続することができ、サービスソースは、このコンテンツ又は情報を移動装置１１２に提供する。複数のサービス・プロバイダは、限定ではないが、１又はそれ以上のテレビ及び／又はデジタルテレビ・サービスプロバイダ、ＡＭ／ＦＭラジオサービスプロバイダ、ＳＭＳ／ＭＭＳプッシュサービスプロバイダ、インターネットコンテンツプロバイダ又はアクセスプロバイダを含むことができる。
【００１４】
放送ネットワーク１１４は、ＤＶＢ−Ｈを介したＩＰデータキャスティングの無線送信を含むことができる。放送ネットワーク１１４は、デジタル又はアナログテレビ信号、及びサービスに関する付属コンテンツなどのサービスを送信機１１８を介して放送することができる。放送ネットワークはまた、ラジオ、テレビ又はＩＰデータキャスティング放送ネットワークを含むこともできる。放送ネットワーク１１４は、テレビ信号、オーディオ及び／又はビデオストリーム、データストリーム、ビデオファイル、オーディオファイル、ソフトウェアファイル及び／又はビデオゲームを含むことができる付属コンテンツを送信することもできる。ＩＰデータキャスティングサービスの送信の場合、サービスソース１２２は、放送ネットワーク１１４を通じてユーザ装置１１２に実際の番組コンテンツ、及びセルラネットワーク１１６を通じてユーザの権利及びアクセス情報などの実際の番組コンテンツについての追加情報を伝送することができる。
【００１５】
移動装置１１２はまた、セルラネットワーク１１６を通じてサービスソース１２２とコンタクトを取ることができる。セルラネットワーク１１６は、無線ネットワーク及び基地トランシーバ局送信機１２０を含むことができる。セルラネットワークは、第２世代／第３世代（２Ｇ／３Ｇ）セルラデータ通信ネットワーク、移動体通信用グローバルシステムネットワーク（ＧＳＭ）、ユニバーサルモバイルテレコミュニケーションシステム（ＵＭＴＳ）、又はＷＬＡＮネットワークなどの他の無線通信ネットワークを含むことができる。
【００１６】
本発明の１つの態様では、移動装置１１２は、セルラネットワーク１１６内でデジタル無線通信を送信及び／又は受信するように構成された無線インタフェースを備えることができる。移動装置１１２がセルラネットワーク１１６又は放送ネットワーク１１４を通じて受信した情報は、ユーザ選択、アプリケーション、サービス、電子画像、オーディオクリップ、ビデオクリップ及び／又はＷＴＡＩ（無線電話アプリケーション・インタフェース）メッセージを含むことができる。受信装置がセルラネットワーク１１６の管理領域内に位置している間、１又はそれ以上の基地局（図示せず）は、セルラネットワーク１１６の一部として受信装置１１２とのデジタル通信をサポートすることができる。
【００１７】
図２に示すように、移動装置１１２は、ユーザインタフェース１３０に接続されたプロセッサ１２８、メモリ１３４及び／又は他の記憶装置、及び表示部１３６を含むことができる。移動装置１１２はまた、バッテリ１５０、スピーカ１５２及びアンテナ１５４を備えることができる。ユーザインタフェース１３０は、キーパッド、タッチスクリーン、音声インタフェース、４つの矢印キー、ジョイスティック、データグローブ、マウス、ローラーボール、タッチスクリーン、又は同様のものを更に含むことができる。
【００１８】
移動装置１１２内のプロセッサ１２８及び他の構成要素により利用されるコンピュータ実行可能命令及びデータは、コンピュータ可読メモリ１３４内に記憶することができる。上記メモリは、リードオンリメモリモジュール又はランダムアクセスメモリモジュールのあらゆる組み合わせによって実装可能であり、任意選択的に、揮発性メモリ及び不揮発性メモリの双方を含み、このメモリモジュールのうちの幾つかは着脱可能とすることができる。ソフトウェア１４０は、メモリ１３４及び／又は記憶装置内に記憶され、プロセッサ１２８に命令を与えて、移動装置１１２が様々な機能を実行できるようにすることができる。或いは、移動装置１１２のコンピュータ実行可能命令の一部又は全ては、ハードウェア又はファームウェア（図示せず）の形で具現化することができる。
【００１９】
移動装置１１２は、例えば、ＤＶＢ−Ｈ又はＤＶＢ−ＭＨＰなどのデジタルビデオ放送（ＤＶＢ）規格に基づいたデジタル・ブロードバンド放送送信信号を特定のＤＶＢ受信機１４１を通じて受信、復号化、及び処理するように構成することができる。移動装置はまた、デジタル・ブロードバンド放送送信信号用の別の種類の受信機を備えることもできる。
更に、受信装置１１２はまた、ＦＭ／ＡＭラジオ受信機１４２、ＷＬＡＮトランシーバ１４３及び電気通信トランシーバ１４４を通じて送信信号を受信、復号化、及び処理するように構成することができる。更に、移動装置は、デジタルオーディオ放送（ＤＡＢ）規格（図示せず）に基づいて送信信号を受信するように構成することができる。本発明の１つの態様では、移動装置１１２は、無線データストリーム（ＲＤＳ）メッセージを受信することができる。
【００２０】
ＤＶＢ規格の１つの実施例において、１０Ｍｂｉｔ／秒の１つのＤＶＢ送信信号は、５０ｋｂｉｔ／秒のオーディオ番組チャネルを２００チャネル、或いは、２００ｋｂｉｔ／秒のビデオ（ＴＶ）番組のチャネルを５０チャネル有することができる。移動装置１１２は、携帯機器用デジタルビデオ放送（ＤＶＢ−Ｈ）規格、又は、ＤＶＢ−ＭＨＰ、ＤＶＢ−Ｓａｔｅｌｌｉｔｅ（ＤＶＢ−Ｓ）、ＤＶＢ−Ｔｅｒｒｅｓｔｒｉａｌ（ＤＶＢ−Ｔ）又はＤＶＢ−Ｃａｂｌｅ（ＤＶＢ−Ｃ）などの他のＤＶＢ規格に基づいて送信信号を受信、復号化、及び処理するように構成することができる。同様に、代替として、他のデジタル伝送フォーマットを利用して、ＡＴＳＣ（先進テレビ方式委員会）、ＮＴＳＣ（全国テレビ方式委員会）、ＩＳＤＢ−Ｔ（地上用統合サービスデジタル放送）、ＤＡＢ（デジタルオーディオ放送）、ＤＭＢ（デジタルマルチメディア放送）、ＦＬＯ（Ｆｏｒｗａｒｄ  Ｌｉｎｋ  Ｏｎｌｙ）又はＤＩＲＥＣＴＶなどのコンテンツ及び付随サービスの可用性情報を配信することができる。また、デジタル伝送信号は、ＤＶＢ−Ｈ技術のようにタイムスライスすることができる。タイムスライスにより、移動端末の平均電力消費量を低減させることができると共に、スムーズでシームレスなハンドオーバを可能とすることができる。タイムスライスは、従来のストリーミング・メカニズムを用いてデータが送信される場合に必要なビットレートと比べ、より高い瞬間ビットレートを用いたバーストの送信データからなる。この場合、移動装置１１２は、１又はそれ以上のバッファメモリを有し、復号化済みのタイムスライスされた送信信号を表示する前に記憶することができる。
【００２１】
利用可能なサービスに関する情報は、電子サービスガイド（ＥＳＧ）内で加入者端末又は受信機に送信することができる。従って、ＥＳＧは、エンドユーザがどのようなサービスを利用可能であるか、及びどのようにしてそのサービスにアクセスすることができるかについて端末の通信を可能にするものである。ＥＳＧフラグメントとは、独立して存在するＥＳＧの一部分である。従来はＥＳＧフラグメントはＸＭＬ文書を含むものであったが、最近ではＥＳＧフラグメントは、例えば、ＳＤＰ（セッション記述プロトコル）記述、テキストファイル、又は画像などの多様な項目を包含するようになった。ＥＳＧフラグメントは、現在利用可能な（又は将来の）サービス又は放送番組の１又は幾つかの態様を記述する。このような態様は、例えば、フリーテキスト記述、スケジュール、地理的可用性、価格、購入方法、ジャンル、及びプレビュー画像又はクリップのような補足情報を含むことができる。多くの様々なプロトコルによる、無線デジタル・ブロードバンド放送ネットワークを含む種々の種類のネットワークを通じて、ＥＳＧフラグメントを含むオーディオ、ビデオ及び他の種類のデータを送信することができる。例えば、通常、「インターネット」と呼ばれるネットワーク群を通じ、インターネット・プロトコル（ＩＰ）及びユーザ・データグラム・プロトコル（ＵＤＰ）のようなインターネット・プロトコル・スイートのプロトコルを利用してデータを送信することができる。ＥＳＧフラグメントはまた、ＡＬＣ及びＦＬＵＴＥプロトコルを利用することによっても送信することができる。多くの場合、データは、単一のユーザにアドレス指定されてインターネットを通じて送信される。しかしながら、データは、ユーザグループにアドレス指定することも可能であり、これはマルチキャストとして一般に知られている。データが全ユーザにアドレス指定される場合には、ブロードキャストと呼ばれる。
【００２２】
ＥＳＧフラグメントは、メタデータと、サービス又はコンテンツの記述とを含み、ＸＭＬなどのシンタックスを用いてインスタンスが生成される。ＥＳＧフラグメントの種々の属性に関してＥＳＧフラグメントを識別するために識別子が用いられる。しかしながら、これらの識別子は、そのサイズが大きいことに起因して大きなオーバヘッドを生成することが多い。例えば、識別子として統一資源位置識別子（ＵＲＩ）を用いた場合、オーバヘッドは２５５×８で大きく且つ扱いが不便である。従って、ＥＳＧフラグメントの識別には、短い３２ビット整数識別子が用いられてきた。しかしながら、識別子は、対応する各ＥＳＧフラグメントに対して一意的である必要がある。異なるソースからのＥＳＧフラグメントが非一意的な識別子により識別される可能性があるので、３２ビット整数識別子の管理は、識別子が必要とする一意性を与えるためにグローバルに集中化させる必要があることになる。例えば、ＥＳＧフラグメントは異なるソースから集約されることが多く、各ソースは標準的識別子スキームを使用していない可能性があり、その結果、異なるソース間で識別子が競合することがある。この実施例では、異なるソースがその異なるソースからの対応するＥＳＧフラグメントに対して同じ識別子を用いる可能性がある。アグリゲータにおいて異なるソースから同じ識別子を有する異なるＥＳＧフラグメントが受信されると競合が生じることになる。
【００２３】
図３は、本発明の少なくとも１つの態様に従う例示的なトランスポート・オブジェクトを示すブロック図である。一般に、単一のトランスポート・オブジェクト３００は、コンテナ・ヘッダ３１０とコンテナ・ペイロード３２０とを含む。ヘッダ３１０とペイロード３２０とを単一のトランスポート・オブジェクト３００に組み入れることにより、異なるトランスポート・オブジェクト内の各コンテナが位置する場所に関する情報と各ヘッダを再結合させる必要がもはや無くなる。更に、従来のシステムで提示されるような、どちらを最初に送信するかに関する問題も無くなる。コンテナ・ヘッダ３１０は、ヘッダ及び／又はコンテナ・ペイロード３２０に関する構成情報を含むことができる。１つの実施形態では、ヘッダ３１０は符号化されて、ヘッダのエントリ長を受信機に通知する。
【００２４】
１つの実施形態では、ヘッダ３１０は、コンテナ・ペイロード３２０内のＥＳＧフラグメント３４０を識別することができる複数のＥＳＧフラグメント記述子エントリ３３０を有し、その結果、受信機が、含まれる各ＥＳＧフラグメント３４０の正確な位置及び／又は長さを求めることができるようになる。例えば、１つの実施形態では、フィールドは、オフセット値、起点、終点、又は同様のものを提供することにより、コンテナ・ペイロード３２０内で特定のＥＳＧが始まる場所を指定する。別の実施形態では、メタデータ３５０は、ヘッダ３１０、記述子エントリ３３０、ＥＳＧフラグメント３４０又はこれらの組み合わせ内に位置し又は近接する個々のＥＳＧフラグメント３４０に関連付けることができる。１つの例示的な実施形態では、３ＧＰＰメタデータ・エンベロープをＥＳＧフラグメント３４０と関連付けることにより、上記特定のＥＳＧフラグメントに関連するヘッダ３１０内に位置付けられる追加のメタデータが必要となる代わりとなり、或いはその必要性をなくすことができる。
【００２５】
オープン・モバイル・アライアンス（ＯＭＡ）では、移動装置のロケーションは、ＩＰを介したモバイル・ロケーション・プロトコル（ＭＬＰ）（ＯＭＡ  ＬＯＣ−ＯＭＡロケーション作業グループ）を用いて行うことができる。ＭＬＰは、形状、国コード、地政学的地域、又はメートル単位の水平精度に基づいて、加入者端末又は受信機のロケーションを特定する。従って、データ送信信号は、ロケーションを定めるＭＬＰのパラメータを含む。その結果、番組又はサービスは、加入者端末又は受信機のロケーションに基づいて、例えば、ＥＳＧフラグメント、コンテンツ・フラグメント、又は別個のロケーション・フラグメントなどの他の何らかのデータ・フラグメントで提供することができる。
【００２６】
ロケーション情報は、放送区域に対応するパラメータ又は要素を含む種々のパラメータを含むことができる。一例として、放送送信信号が含む区域に関する情報は、要素「ｂｒｏａｄｃａｓｔ＿ａｒｅａ」内に含むことができる。この要素ｂｒｏａｄｃａｓｔ＿ａｒｅａは、部分要素を含むことができ、該部分要素は、放送区域を更に定めることができる追加の関連情報を提供することができる。一例として、要素ｂｒｏａｄｃａｓｔ＿ａｒｅａは、部分要素ｔａｒｇｅｔ＿ａｒｅａを含むことができ、該部分要素ｔａｒｇｅｔ＿ａｒｅａを用いて、放送送信の提供が可能な配信区域を定めることができる。この部分要素自体が部分要素を含むこともできる。例えば、要素Ｂｒｏａｄｃａｓｔ＿ａｒｅａの部分要素ｔａｒｇｅｔ＿ａｒｅａは、放送送信を提供できる区域の形状を記述する部分要素を含むことができる。この形状部分要素は、例えば、四角形、矩形、三角形、円形、楕円、その他のいずれの所望の形状を示すことができる。更に別の実施例として、部分要素ｔａｒｇｅｔ＿ａｒｅａは、国コード部分要素を更に含むことができ、該部分要素は、特定の指定国に対応するコード（例えば、部分要素「ｃｃ」）を提供することができる。例えば、３桁の数字を国コードとして提供してもよい。一例として、アルバニアという国に対応する部分要素ｃｃは「３５５」である。これは、国コードのパラメータを示す実施例にすぎず、任意の所望の国に任意の数字又はコードを使用することができる点を認識されたい。
【００２７】
部分要素ｔａｒｇｅｔ＿ａｒｅａは、地理上の区域の名称を示すことができる名称部分要素を更に含むことができる。例えば、部分要素ｔａｒｇｅｔ＿ａｒｅａは、都市の名称を記述することができる（例えば、部分要素ｎａｍｅ＿ａｒｅａを「ソウル」とし、韓国の都市を記述することができる）部分要素「ｎａｍｅ＿ａｒｅａ」を含むことができる。更に、部分要素ｔａｒｇｅｔ＿ａｒｅａは、その場所が関連する郵便番号を有する場合には、その場所の郵便番号を記述する部分要素を含むことができる。この実施例では、部分要素ｔａｒｇｅｔ＿ａｒｅａは、放送区域の郵便番号を与える整数型の部分要素ｚｉｐ＿ｃｏｄｅを含むことができる。部分要素ｔａｒｇｅｔ＿ａｒｅａは、部分要素ｓｈａｐｅ、ｃｃ、ｎａｍｅ＿ａｒｅａ及びｚｉｐ＿ｃｏｄｅのうちの１又はそれ以上を含むことができる。これらの部分要素は別個に使用するか、或いは組み合わせて使用して、放送区域を定めることができる。
【００２８】
放送を提供できる物理的な区域を記述する部分要素ｔａｒｇｅｔ＿ａｒｅａに加えて、放送区域記述子又は要素はまた、与えられた放送区域の水平精度を記述するパラメータ又は部分要素を含むこともできる。例えば、部分要素又はパラメータｈｏｒ−ａｃｃは、必要に応じて、水平精度を提供できる要素又は記述子ｂｒｏａｄｃａｓｔ＿ａｒｅａ内に設けることができる。このｈｏｒｉｚｏｎｔａｌ＿ａｃｃｕｒａｃｙは、部分要素ｔａｒｇｅｔ＿ａｒｅａの部分要素と組み合わせて使用し、放送区域を定めることもできる。
【００２９】
下記の表１は、移動放送システムにおいてロケーション情報を提供することができる記述子、要素、パラメータ又は部分要素の実施例を提供する。このような情報は、ＥＳＧフラグメント内に保持することができる。
表１
2009507445.tif 000003
【００３０】
種別は、要素（Ｅ）、属性（Ａ）、第１レベルの部分要素（Ｅ１）、第２レベルの部分要素（Ｅ２）又は第３レベルの部分要素（Ｅ３）とすることができ、カテゴリは、オプション（Ｏ）又は好適／必須（Ｍ）とすることができる。
【００３１】
ＯＭＡ  ＢＣＡＳＴサービス（ＯＭＡ「ブラウザ及びコンテンツ」作業グループの下位作業グループ）では、ＯＭＡ  ＢＣＡＳＴイネーブラによりこれらのパラメータ及び要素を利用し、加入者端末又は受信機のロケーション情報と、受信機のロケーションに基づくロケーションベースの放送サービスとを提供することができる。
【００３２】
ＣＤＭＡ２０００では、第３世代パートナーシップ・プロジェクト２（３ＧＰＰ２）が、作業項目として放送及びマルチキャストサービス（ＢＣＭＳ）を利用して放送サービスに取り組んでいる。ＣＤＭＡ２０００システムでは、ＯＭＡ  ＢＣＡＳＴとは異なる方法でロケーション情報を提供することができる。従って、ＯＭＡ  ＢＣＡＳＴ環境でのロケーション情報の提供は、ＣＤＭＡ２０００の実施形態で使用可能に適合させることが必要となる可能性がある。また、ＣＤＭＡ２０００は、ネットワークの種類に基づいて異なる方法でロケーション情報を提供する。例えば、回線交換ネットワークでは、ＣＤＭＡ２０００は、パケット交換ネットワークとは異なる様にロケーション情報を提供することができる。
【００３３】
例えば、パケット交換型ＣＤＭＡネットワーク（すなわち、３ＧＰＰ２  ＩＰベースのネットワーク）においては、Ｅｖｏｌｕｔｉｏｎ  Ｄａｔａ  Ｏｎｌｙネットワーク又はＥｖｏｌｕｔｉｏｎ  Ｄａｔａ  Ｏｐｔｉｍｉｚｅｄ（ＥＶ−ＤＯ）ネットワークなどは、引用により全体が本明細書に組み込まれる３ＧＰＰ２  Ｘ．Ｐ００２３に従って定められ、任意選択的に、モバイル・ロケーション・プロトコル（ＭＬＰ）を参照する。しかしながら、「１Ｘ」ネットワークなどの回線交換型ＣＤＭＡネットワークでは、モバイル・ロケーション・プロトコル（ＭＬＰ）をサポートすることはできない。従って、ＭＬＰの下でロケーションを識別するパラメータは、回線交換型ＣＤＭＡネットワークに対し十分に適用可能なものではない。例えば、回線交換型ＣＤＭＡネットワークは、ロケーションを特定する際に、このようなパラメータを国コード、地政学上の区域、又は水平精度として利用できない可能性がある。むしろ、これらのパラメータ及び他のパラメータは、サポートされていない場合があるので、これらのパラメータ及び他のパラメータは、回線交換型ＣＤＭＡネットワークにおいて本質的に単に情報を提供するものに過ぎない可能性がある。
【００３４】
本発明の１つの実施例において、ロケーション・パラメータ及びロケーション要素は、複数のネットワークシステムで使用するように適合される。例えば、ロケーション・パラメータは、ＥＳＧフラグメントにおいて配信され、あるネットワークタイプから別のネットワークタイプにマッピングすることができる。例えば、上記の表に示すように、ＯＭＡ  ＢＣＡＳＴの一部としてのロケーション・パラメータは、ＣＤＭＡ２０００のＢＣＭＣＳにおいて適用することができる。ロケーション・パラメータは、ネットワーク内で様々な方法でシグナリングすることができる。例えば、ロケーション・パラメータは、サービスガイドにおいてユーザ又はＯＭＡ  ＢＣＡＳＴサーバにシグナリングすることができる。ロケーション・パラメータはまた、ネットワーク管理モジュールにシグナリングし、或いは、拡張ＵＲＬによりリンクできる個別のファイルとして、又は個別のコンテンツファイルとしてシグナリングすることができる。これらのロケーション・パラメータは、異なるネットワークを認識することができるように適合されたロケーション・パラメータにマッピングすることができる。異なるネットワークは、適合されたロケーション・パラメータを利用して、加入者端末又は受信機のロケーションを特定することができる。
【００３５】
一例として、ＯＭＡ  ＢＣＡＳＴを用いるネットワーク内のロケーション・パラメータを含むＥＳＧフラグメントは、ＣＤＭＡ２０００回線交換ネットワークに送信することができる。このロケーション・パラメータは、ＯＭＡ  ＢＣＡＳＴを利用するネットワーク内で認識されるロケーション・パラメータを含むことができるが、ＣＤＭＡ２０００回線交換ネットワークでは互換性がない。一例として、ＯＭＡ  ＢＣＡＳＴを用いてネットワークで定められるような国コード、地政学上の区域、又は水平精度のロケーション・パラメータは、ＣＤＭＡ２０００回線交換ネットワークでの使用には互換性を有することができない。従って、これらの非互換ロケーション・パラメータは、無視されるか、或いは情報を得る目的にのみ利用することができる。本発明のこの実施例では、ＯＭＡ  ＢＣＡＳＴを用いたネットワークにおいて送信されるロケーション・パラメータ（例えば、ＥＳＧフラグメント、又は他のデータ・フラグメントにおいて）は、ＣＤＭＡ２０００回線交換ネットワークで利用できるように適合されたロケーション・パラメータにデータ・フラグメントにおいてマッピングすることができる。この適合されたロケーション・パラメータは、例えば、ＥＳＧフラグメントなどのデータ・フラグメント、サービスガイドに関連する個別のファイル、ＵＲＬによりリンクされた個別のファイル、その他に含めることができる。ロケーション・パラメータにマッピングされたような、この適合されたロケーション・パラメータは更に、ユーザ、ネットワーク管理モジュール、ＯＭＡ  ＢＣＡＳＴサーバ、その他のようなネットワークエンティティにシグナリングすることができ、その結果、ロケーション情報が送信され、ＣＤＭＡ２０００などの別個のネットワークで利用できるようになる。
【００３６】
以下の表２は、ロケーション・パラメータ、及び対応するマッピングされた（又は適合された）ロケーション・パラメーの実施例を示している。
表２
2009507445.tif 000004
【００３７】
種別は、要素（Ｅ）、属性（Ａ）、第１レベルの部分要素（Ｅ１）、第２レベルの部分要素（Ｅ２）又は第３レベルの部分要素（Ｅ３）とすることができ、カテゴリは、オプション（Ｏ）又は好適／必須（Ｍ）とすることができる。
【００３８】
図４は、本発明の実施形態による送信機の実施例を示す部分ブロック図である。本実施例では、送信機４００は、ＥＳＧフラグメントにおいて送信できるデータを遠隔ソースから受信するための入力部４０１を含むことができる。ＥＳＧフラグメントは、対応する番組又はサービスに関連する情報を含むことができる。また、送信機４００は、受信機又は加入者端末のロケーション情報を受信できるロケーション入力部４０３を含むことができる。このロケーション入力部４０３はまた、送信機が放送送信を配信することが可能なロケーションに対応するロケーション情報を受信することもできる。このロケーション情報は、例えば、目標区域指示パラメータ、送信対象の地理区域の形状について記述することができる形状パラメータ、国コード、郵便番号、その他など、放送送信信号を送信可能なロケーションに対応するパラメータを含むことができる。
【００３９】
入力部４０１で受信した入力データと、ロケーション入力部４０３で受信したロケーション入力とは、マッピングモジュール４０４で処理することができる。マッピングモジュール４０４は、プロセッサ４０２により制御され、ロケーション入力部４０３で受信したロケーション情報をマッピングすることができる。例えば、ロケーション情報は、放送送信信号が送信されることになる区域の特性に対応するパラメータ又は要素を含むことができる。これらのロケーション・パラメータをマッピングモジュール４０４において処理し、代替のネットワークにおいて対応するロケーション・パラメータを含むようにすることができる。例えば、マッピングモジュールは、テーブルを形成することができ、該テーブルにおいて、ロケーション情報の各パラメータ又は要素が、代替のネットワーク又はシステムにおける対応する同等のロケーション・パラメータ又は要素とマッピングされる。マッピングされた対応するロケーション・パラメータ又は要素を含むロケーション情報は、ＥＳＧフラグメントに含めることができる。この実施例では、ＥＳＧフラグメント内の送信用データは、入力部４０１で受信し、ＥＳＧフラグメント生成器４０５によりＥＳＧフラグメント内に組み入れることができる。ＥＳＧフラグメント生成器４０５はまた、ロケーション情報と、パラメータ又は要素を含むマッピングされた対応するロケーション情報とを受信し、このロケーション情報を送信用のＥＳＧフラグメントに含めることができる。ＥＳＧフラグメント生成器は、番組又はサービスに対応するＥＳＧフラグメントを生成し、出力部４０６を介してこのＥＳＧフラグメントを出力する。
【００４０】
図５は、ネットワーク管理モジュールの一例を示す部分ブロック図である。ネットワーク管理モジュール５００は、ＥＳＧフラグメント又は他のデータ・フラグメント（ロケーション・フラグメントなど）をネットワーク内の送信機又は受信機から受信することができる。このネットワーク管理モジュール５００は、ネットワーク内の送信機又は受信機から入力信号を受信するための入力部５０１を含むことができる。入力部５０１で受信したデータは、受信機又は加入者端末のロケーション情報を含むＥＳＧフラグメントを含むことができる。入力部５０１で受信したロケーション情報に基づいて、ネットワーク管理モジュール５００は、特定のロケーションにデータを送信することができる。例えば、入力部５０１で受信したＥＳＧフラグメント又は他のデータ・フラグメントは、ロケーション識別子モジュール５０２で処理することができ、該ロケーション識別子モジュール５０２は、ＥＳＧ又は他のデータ・フラグメントからロケーション情報を取得する。ロケーション情報は、データ放送が送信されることになるロケーションの特性を示すパラメータ又は要素を含むことができる。例えば、ロケーション情報は、国コード、郵便番号、地政学上の名称、その他を識別するパラメータを含むことができる。また、入力部５０１で受信したデータは、マッピング情報を含むことができ、該マッピング情報では、特定のネットワークタイプのロケーション情報に関連するパラメータ又は要素は、別のネットワークタイプに関連する対応するパラメータ又は要素とマッピング又は相関付けることができる。一例として、ロケーション情報は、ＯＭＡ  ＢＣＡＳＴのモバイル・ロケーション・プロトコル（ＭＬＰ）においてロケーション・パラメータを含むことができ、このロケーション・パラメータは各々、ＣＤＭＡネットワークにおける対応するロケーション・パラメータにマッピングすることができる。ロケーション情報及び対応するマッピングされたロケーション情報に基づいて、ロケーション識別子モジュール５０２は、出力部５０３を介してネットワークにデータを出力することができる。この送信されたデータは、指定区域（すなわちロケーション）内の受信機又は加入者ステーション（図示せず）側で受信することができる。
【００４１】
１つの実施例において、ネットワーク管理モジュールは、送信機４００内に存在し、送信機がデータ又はＥＳＧフラグメント情報を指定されたロケーションに送信することができるようになる。別の実施例において、ネットワーク管理モジュールはネットワーク内に存在するが、送信機から分離されている。例えば、ネットワーク管理モジュールは、遠隔ソース側のサーバとすることができる。別の実施例において、ネットワーク管理モジュールは、受信機又は加入者端末内に存在し、受信機又は加入者端末が、ロケーション情報又はパラメータにより示される指定区域内に存在する場合、この受信機又は加入者端末はデータ送信信号を受信することができるようになる。
【００４２】
図６は、本発明の実施形態によるロケーション情報に基づいて、指定されたロケーションにデータを送信する方法の実施例を示すフローチャートである。本実施例では、ロケーション情報が取得される（ステップ６００）。ロケーション情報は、例えば、データ送信信号が送信されることになるロケーションの特性を識別するパラメータ又は要素を含むことができる。例えば、ロケーション情報は、目標区域を示すパラメータを含むことができる。また、各要素又はパラメータは、追加の部分要素を含むことができる。部分要素の実施例は、幾つか例を挙げると、国コード、ロケーションの地政学上の名称、又は郵便番号を示す部分要素を含むことができる。ロケーション情報は、限定ではないが、受信機、ネットワーク管理モジュール、送信機、サーバ、又は任意のネットワーク構成要素などの様々なソースから取得することができる。
【００４３】
ステップ６０１で、受信機又は加入者端末が位置することができるネットワークタイプが特定される。例えば、受信機又は加入者端末は、ＯＭＡ  ＢＣＡＳＴによる仕様を用いたネットワーク内に存在するものとして特定することができる。或いは、受信機又は加入者端末は、ＣＤＭＡ２０００ネットワーク内に存在するものとして特定することができる。ネットワークタイプに基づいて、ロケーション情報は、ネットワークタイプに対応するロケーション・パラメータ又は要素にマッピングすることができる。例えば、ロケーション情報は、ＯＭＡ  ＢＣＡＳＴに準拠するネットワークに関連するパラメータ又は要素を含むことができる。ネットワークがＣＤＭＡ２０００ネットワークであると判定された場合、ステップ６０２で、ロケーション情報は、ＣＤＭＡ２０００ネットワークに対応するロケーション・パラメータ又は要素にマッピングされる。例えば、ＯＭＡ  ＢＣＡＳＴに従う各ロケーション・パラメータ又は要素は、対応するＣＤＭＡ２０００のロケーション・パラメータ又は要素と結合される。１つの実施例として、１つのネットワークの各ロケーション・パラメータ又は要素を別のネットワーク（この実施例ではＯＭＡ  ＢＣＡＳＴを利用したネットワーク及びＣＤＭＡ２０００ネットワーク）の対応するロケーション・パラメータ又は要素とマッピングするために、テーブルを構築することができる。従って、データが送信されることになるロケーションが特定され、データをそのロケーションに送信することができる（ステップ６０３）。
【００４４】
本発明は、本明細書で明示的に開示されたあらゆる新規の特徴又は特徴の組み合わせ或いはこれらのあらゆる一般化されたものを含む。本発明を実施する上で現在好ましい形態を含む具体的な実施例を参照しながら本発明を説明してきたが、当業者であれば理解されるように、上述のシステム及び技術の多くの変形形態及び置き換えが存在する。従って、本発明の精神及び範囲は、添付の請求項に記載されているように広く解釈すべきである。
【図面の簡単な説明】
【００４５】
【図１】本発明の種々の態様を実施することができる無線通信システムのブロック図である。
【図２】本発明の態様による移動端末のブロック図である。
【図３】本発明の態様による例示的なトランスポート・オブジェクトのブロック図である。
【図４】本発明の１又はそれ以上の例示的な実施形態を実施することができるロケーションに放送データを送信する送信機の一例を示す部分ブロック図である。
【図５】本発明の１又はそれ以上の例示的な実施形態を実施することができるネットワーク管理モジュールの一例を示す部分ブロック図である。
【図６】本発明の１又はそれ以上の例示的な実施形態を実施することができる番組又はサービス送信のための移動放送システムにおけるロケーション特定の一例を示すフロー図である。
【符号の説明】
【００４６】
６００  ロケーション情報を取得する
６０１  受信機のネットワークを特定する
６０２  ロケーション情報を受信機ネットワークにマッピングする
６０３  受信機のロケーションにデータを送信する
【図１】
2009507445.tif 000005
【図２】
2009507445.tif 000006
【図３】
2009507445.tif 000007
【図４】
2009507445.tif 000008
【図５】
2009507445.tif 000009
【図６】
2009507445.tif 000010
【国際調査報告】
2009507445.tif 000011
2009507445.tif 000012
2009507445.tif 000013
2009507445.tif 000014